(57)【要約】【課題】ハンズフリー超音波診断方法及び装置を提供する。【解決手段】皮膚に装着される装置（１０）は音響モジュール（２４）及び取り付けアセンブリ（１６）を有する。音響結合層（３４）は、皮膚（１８）にモジュール（２４）を貼り付けて、音響的に結合する。【選択図】図１
2014054580.tif 000002
【特許請求の範囲】
【請求項１】
音響モジュールと；
音響結合層を有する取り付けアセンブリであって、前記音響結合層は皮膚に前記音響モジュールを貼り付け、音響結合する、取り付けアセンブリと；
前記皮膚の輪郭に倣うたわみを可能にするように硬いが十分にフレキシブルな、前記モジュールにかぶさって囲むように広がったフレキシブルなカバリング層と；
を有する皮膚に装着される装置。
【請求項２】
請求項１に記載の装置であって、前記音響モジュールは超音波トランスジューサを有する、装置。
【請求項３】
請求項１に記載の装置であって、前記結合層により前記皮膚に貼り付け、音響結合されている複数のモジュールを更に有する、装置。
【請求項４】
請求項１に記載の装置であって、前記取り付けアセンブリは：
前記結合層において周囲に広がった接着パッド；
を更に有する、装置。
【請求項５】
請求項４に記載の装置であって：
前記結合層から前記モジュールの反対側をカバーするカバリング層であって、前記接着パッドの内側部分は前記カバリング層と前記結合層との間に挟まれている、カバリング層；
を更に有する、装置。
【請求項６】
請求項１に記載の装置であって、前記結合層は：
エアポケットの存在しない前記皮膚及び皮膚における割れ目に倣うように、前記皮膚と流体を接着するように、十分に粘着性を有する誘電性シリコーンゲル；
を更に有する、装置。
【請求項７】
請求項１に記載の装置であって、前記音響モジュールは、Ｂモード、カラードップラー、ＣＷドップラー及びＭモード超音波センサのうちの１つを有する、装置。
【請求項８】
請求項１に記載の装置であって、前記音響モジュールは無線トランスジューサを有する、装置。
【請求項９】
請求項１に記載の装置であって、前記音響モジュールは：
音響送信要素、音響受信要素及び前記音響送信要素と音響受信要素を互いに固定された関係に保つフォーマ；
を有する、装置。
【請求項１０】
請求項９に記載の装置であって：
一方側の前記結合層と他方側のフレキシブルカバリング層との間をフレキシブルに相互接続する複数の前記モジュール；
を更に有する、装置。
【請求項１１】
請求項１０に記載の装置であって、前記フレキシブルカバリング層と前記結合層の少なくとも１つはＳｙｌｇａｒｄ（登録商標）誘電体ゲルである、装置。
【請求項１２】
請求項１０に記載の装置であって、前記フレキシブルカバリング層はＳｙｌｇａｒｄ（登録商標）誘電体ゲルを有し、前記結合層はＴ２（登録商標）シリコーンを有する、装置。
【請求項１３】
請求項１０に記載の装置であって、前記取り付けアセンブリは：
前記フレキシブルカバリング層及び前記結合層が一体化されているパッド；
を有する、装置。
【請求項１４】
請求項１０に記載の装置であって、前記結合層は十分に小さい音速を有し、前記装置は実質的に平坦である、装置。
【請求項１５】
請求項１に記載の装置であって、前記モジュールは：
前記皮膚の下で動いている物質において方向付けられる超音波送信を生成する送信器；及び
前記動きを表す、反射された超音波送信を感知する受信器；
を各々有する複数の圧電モジュールのアレイを有する、装置。
【請求項１６】
請求項１に記載の装置であって、前記モジュールは：
前記皮膚の下で動いている物質において方向付けられる超音波送信を生成し、前記動きを表す、反射された超音波送信を感知するする送信器；
を各々有する複数の圧電モジュールのアレイを有する、装置。
【請求項１７】
心臓除細動ユニットと組み合わされた請求項１に記載の装置。
【請求項１８】
請求項１に記載の装置であって、前記結合層は、滑りを防止するように十分に硬く、前記結合層が貼られるときに前記皮膚における割れ目を満たすように十分に流動的である、医療処置の間に更なる人間の介入なしに、前記皮膚にモジュールを接着し、前記モジュールを適所に保つように十分に粘着性を有する、装置。
【請求項１９】
請求項１に記載の装置がデータ取得をゲーティングするように用いられる核イメージャ。
【請求項２０】
患者の皮膚と音響モジュールを貼り付けて、音響結合する結合手段；
前記皮膚の輪郭に倣うたわみを可能にするように硬いが十分にフレキシブルな、前記モジュールにかぶさって囲むように広がったフレキシブルなカバリング層；及び
前記患者の生理学的パラメータをモニタするように音響信号を送受信する医療手段；
を有する装置。
【請求項２１】
患者の生理学的パラメータを感知する音響モジュール；
音響結合層を有する取り付けアセンブリであって、前記患者の皮膚に前記音響モジュールを貼り付けて、音響的に結合する、取り付けアセンブリ；
前記皮膚の輪郭に倣うたわみを可能にするように硬いが十分にフレキシブルな、前記モジュールにかぶさって囲むように広がったフレキシブルなカバリング層；及び
感知された患者データを収集し、モニタリングステーションに前記感知された患者データを転送するサーバ；
を有するモニタリングシステム。
【発明の詳細な説明】
【技術分野】
【０００１】
本発明は、診断技術に関する。本発明は、特に、超音波モニタリングに関連するアプリケーションに関し、そのアプリケーションに言及して説明する。しかしながら、また、以下、超音波イメージング、試験、処理等に関連するアプリケーションに適用できることが理解できる。
【背景技術】
【０００２】
超音波システムは、血流、心拍、組織運動等の患者の状態に関するリアルタイムの重要な情報を提供する有用な診断ツールである。典型的には、超音波診断システムは、例えば、ドップラー効果に基づく非介入的技術を用いる。そのようなシステムにおいては、測定の高精度な測定が、診断手順の容易さと組み合わされる。典型的には、医療専門家は、プローブの位置を変えて、圧力を加えることにより、手動プローブ又はトランスジューサを用いることにより超音波診断を実行する。
【０００３】
更に、ドップラシステムを、手術中、集中治療室等の緊急的状況下で、患者の心拍の検出及び血流の測定を行うために用いることが可能である。そのような状況下では、超音波診断機器が専門である医療専門家が、他の医療従事者に加えて必要である。同様に、多くの超音波診療の診療アプリケーションにおいて、オペレータは、体の特定の部位にトランスジューサを保持する必要がある。このことは、費用が掛かり、研究が示してきているように、トランスジューサに一定の圧力を加える必要があるために、継続的な圧力障害等の医療従事者における不所望の健康悪化をもたらす。患者の皮膚にトランスジューサを直接、取り付けることは、医療従事者の余計な仕事の負担を回避し、超音波モニタリングをより魅力的なものにする。
【０００４】
１つの方法は、超音波トランスジューサを粘着性包袋により患者の皮膚に取り付けることである。しかしながら、そのような技術は、患者の皮膚と超音波トランスジューサを音響的に結合することができない。他の方法は、トランスジューサと皮膚との間にゲルパッドを置くことである。更に他の方法は、皮膚に従来の音響結合ゲルを広げ、その上に超音波トランスジューサを付けることである。音響パッドは、そのパッドと過剰な音響反射をもたらす皮膚における割れ目との間でエアポケットが規定されるために、不利である。音響結合ゲルは、皮膚に対するトランスジューサを滑り易く、それを移動させてしまうために、不利である。
【発明の概要】
【発明が解決しようとする課題】
【０００５】
本発明は、上記の課題及び他の課題を克服する、新しい且つ改善された方法及び装置を適用する。
【課題を解決するための手段】
【０００６】
本発明の一特徴に従って、音響モジュール及び取り付けアセンブリを有する皮膚に装着する装置について開示されている。音響結合層は、皮膚にそのモジュールを貼り、音響的に結合することができる。
【０００７】
他の特徴に従って、音響モニタリング方法について開示されている。音響モジュールは、音響結合層により患者の皮膚に貼られ、音響的に結合されている。音響信号は、患者の生理学的パラメータをモニタするように、その音響モジュールにより送受信される。
【０００８】
本発明の一有利点は、皮膚に超音波センサを貼るハンズフレー機構にある。
【０００９】
本発明の更なる有利点について、当業者は以下の詳細説明を読むことにより明らかになり、理解することができる。
【００１０】
本発明は、種々の構成要素、複数の構成要素の組み合わせ、種々のステップ及び複数のステップの組み合わせにおいて具現化される。添付図は、好適な実施形態の単ある例示のためのものであり、本発明を制限するように解釈されるべきものではない。
【図面の簡単な説明】
【００１１】
【図１】超音波システムを示す図である。
【図２】超音波アセンブリの底部側平面図である。
【図３】超音波システムの他の実施形態を示す図である。
【図４】モニタリングシステムを示す図である。
【発明を実施するための形態】
【００１２】
図１及び２を参照するに、超音波アセンブリ１０は、例えば、生理学的パラメータを検出する、測定する及び／又はモニタするドップラー効果に基づく超音波センサのような医療、モニタリング又は生体認証装置１２を有する。生理学的パラメータの例は、血流、心拍及び組織運動である。医療装置１２は、患者１４の基体面又は皮膚１８に医療装置１２を安全に取り付けアセンブリ１６を介して患者１４に取り付けられる。特に、第１実施形態に対しては、取り付けアセンブリ１６は、患者の皮膚に超音波センサ１２を有するパッドを接着させる接着材料の層２２により、小児用フォームパッドのようなパッドを有する。一実施形態においては、超音波センサ１２は、圧電モジュール、要素又は結晶２４のアレイを有する圧電トランスジューサを有する。各々の圧電モジュール２４は、フォーマ又は支持部３０に備えられた送信器６及び受信器２８を有する。フォーマ３０は、各々の要素２４の送信器及び受信器の各々の対の間の方向が固定されるように、十分に硬い各々のモジュール要素を保持する。勿論、モジュールはトランスジューサを有することを検討することができる。圧電モジュール２４は、トランスジューサが患者の体の凹凸に倣う倣い性を可能にするように、硬いが、十分にフレキシブルなカバリング層３２と相互接続される。勿論、トランスジューサアレイをイメージングするように、トランスジューサの全ては、所定の既知の関係を互いに維持する必要がある。圧電トランスジューサが例示としての実施形態に示されているが、当業者は、圧電特性を示す何れかの他の種類の成分又は材料が、エネルギー供給されるときに機械的な効果がもたらされるように、用いられることが可能であることを理解することができるであろう。例えば、ＣＭＵＴ（容量性マイクロマシン加工超音波トランスジューサ）のような何れかの他の超音波トランスジューサも、用いることが可能である。
【００１３】
そのモジュール２４は、フレキシブルなカバリング層３２で囲まれていて、一実施形態においては、そのフレキシブルなカバリング層はフレキシブルなシリコーン材料である。例えば、カバリング層３２は、超音波アセンブリ１０の第１表面４０の最上部を覆うＴ２（登録商標）のシリコーンのような硬く、粘着性のある材料の層を有する。取り付けアセンブリ１６はまた、皮膚１８と直接、接するように超音波アセンブリ１０の下部表面又は第２表面４２に備えられている音響結合層３４を有する。例えば、結合層３４は、皮膚１８に付着するように、十分に粘着性のある又はネバネバするエラストマー材料層を有し、そのエラストマー材料は、トランスジューサが滑らないような十分な硬さを有するが、皮膚内に入り込み、割れ目を埋めるように十分な流動性を有する。結合層２４の材料は、人間の組織（水）内の音速と実質的に等しく、その組織の妥当な小さい減衰及び略等しい音響インピーダンスを有する超音波信号を送信する音響送信特性を有する。適切な材料の例は、Ｄｏｗ  Ｃｏｒｎｉｎｇ社が製造している誘電体ゲルであるＳｙｌｇａｒｄ〔シルガード〕（登録商標）である。そのようなゲルは、皮膚のようなかなり軟らかい物質に対して硬化することが可能である特定のカプセル化材料である。硬化したゲルは、エラストマーの寸法安定性を与えつつ、その流動体のかなりの応力緩和及び自己回復を維持することが可能である。そのゲルがプライマーを必要とせずに物理的付着力を得ることを可能にする自然の粘着性を硬化したゲルの表面が有するように、そのゲルは配合され、硬化される。
【００１４】
一実施形態においては、結合層３４は、強い粘着性を有するが、実質的には硬い。他の実施形態においては、センサは、周縁粘着取り付け部に対して皮膚に強く押し付けられる。
【００１５】
図２を継続して参照するに、導体５０が、ＣＰＲユニット５２のようなモニタユニットに超音波センサ１２を接続している。任意に、超音波アセンブリ１０は、バッテリー、超音波診断装置、送信器／受信器制御器、及び体が結合された通信、ブルートゥース等のような無線通信のための無線送信器を含むことが可能である。エコーデータを心拍数に結び付ける回路のような、超音波エコーをパルスに変換する回路が、超音波アセンブリ１０に一部が又は全部が備えられている。他のオプションとして、無線通信モジュール及びバッテリーモジュールが超音波アセンブリに繋がれることが可能である。
【００１６】
患者１４に対して超音波アセンブリ１０を直接付着させることは、例えば、頸動脈にドップラーエネルギーを送信しながら、超音波センサ１２の動きを回避することができる。超音波アセンブリ１０は、トランスジューサの動きにより生成された、誤ったドップラーエネルギーを送信することから分離されている。更に、取り付けアセンブリ１６の粘着性は、医療従事者にある程度の自由度を与える。特に、医療専門家は、パルスを取りながらそのパルスを適切に維持する必要なく、患者１４に超音波アセンブリ１０を位置付けることが可能である。トランスジューサアセンブリに対して医療従事者が注意することなく、将来のパルスチェックは実行されることが可能である。より大きい粘着接触領域は、センサケーブルにおける応力による動きを低減させることができる。Ｓｙｌｇａｒｄ（登録商標）結合材料は、皮膚界面における空気の泡を排除しながら、良好な音響接触を与え、また、長期間の保管が問題にならないように、破損し難くなっている。この物質における音速が小さければ小さい程、結晶は急峻に角度付けられる必要がないために、より平坦なパッチデザインを可能にするビーム屈折をもたらす。
【００１７】
その屈折は、強いドップラー成分を得るために必要なセンサの範囲外の超音波ビーム角度を増加させる。このことは、圧電要素はセンサからのビームの急峻な出射角度を得るように急峻な角度にする必要がないため、全体的なデザインを尚一層、平面パッチのようにすることができる。
【００１８】
図３を参照するに、圧電モジュール２４は、カバリング層３２と音響結合層３４との間に備えられている。図１及び２の接着層２２を有するパッド２０は省略されている。音響結合層３４は、Ｓｙｌｇａｒｄ（登録商標）のような粘着性エラストマーシリコーン材料を有する。フレキシブルなカバリング層３２は、Ｔ２（登録商標）のような硬い、非粘着性シリコーン材料を有する。他の実施形態においては、カバリング層３２及び音響結合層３４の両方は、Ｓｙｌｇａｒｄ（登録商標）のようなエラストマーシリコーン材料を有する。カバリング層３２は、手動の処理を容易にするように、テフロン（登録商標）層のような非粘着性材料の薄い外層を有する。
【００１９】
Ｓｙｌｇａｒｄ５２７（登録商標）は、皮膚に対する良好な粘着性取り付けを提供し、エアギャップが存在しないことを確実にし、取り外し及び再取り付けが可能であり、乾燥肌状態でさえ、良好な音響結合を与えることができる。他の実施例としては、Ｓｙｌｇａｒｄ５２７（登録商標）の混合特性は、硬化性／流動性／粘着性を釣り合わせるように修正されることが可能である。一般に、結合材料は、例えば、超音波の小さい音響減衰及び良好な音響接触、例えば、皮膚の割れ目及び凹凸形状に習うことが可能である液体状表面を有する必要がある。接触表面におけるエアポケットは、例えば、軟らかい粘着性材料により回避される必要がある。
【００２０】
送信器２６／受信器２８は、患者の皮膚表面に対する所定の方向において各々のモジュール２４に備えられている。代替として、単独の送信器及び複数の受信器若しくは複数の送信器及び単独の受信器が各々のモジュールにおいて備えられることが可能である。
【００２１】
一般に、例えば、頸動脈から脳への血流が送信器２６／受信器２８の方向に平行であるように、モジュール２４において送信器２６／受信器２８を方向付けることは好ましいことである。
【００２２】
例示としての実施形態においては、センサは複数のモジュールを有する。１つのモジュールの送信器２６／受信器２８が血流を測定するように適切に方向付けられていない場合でさえ、残りの送信器２６／受信器２８は、頸動脈又は他の選択された血管を適切に覆い、血液細胞の流れを測定するように位置付けられることが可能である。更に、複数のモジュール２４は、患者に超音波アセンブリ１０を不適切に固定するリスクを低下させることができる。超音波アセンブリ１０が僅かにずれて位置付けされている場合でさえ、送信器２６／受信器２８の複数化は、少なくとも１組の対が、パルスを検出する手段を備えるように頸動脈において実質的に位置付けられることを確実にする。
【００２３】
上記の方法においては、対象物からの超音波センサのデータのハンズフリー収集が実行される。上記のことは、心臓蘇生を試みているときのＣＰＲにより案内される介入中のパルス検出のような、Ｂモード、カラードップラー、ＣＷドップラー、Ｍモード、イメージングアプリケーション、及び非イメージングアプリケーションのような、種々の超音波イメージングモダリティに対して適用可能である。実施例として、上記の超音波アセンブリは、ＣＰＲの品質に関するフィードバックを与えるように、ＣＰＲ中の実際の血流を測定することが可能である。
【００２４】
例えば、ＣＰＲユニット５２は、頸動脈における血液細胞に対してＣＷ信号を発するように送信器２６をトリガする超音波センサ１２にディジタル信号を送信する。反射信号は受信器２８により受信される。戻り信号は患者のパルスを表し、それ故、血流を表し、血流を測定するＣＰＲユニットにより処理される。例えば、戻り信号は、受信される戻り信号による統計的に適切な閾値と比較される。戻り信号がその閾値以上である場合、それらの戻り信号はパルスを表し、心拍リズムが決定される。逆に、戻り信号が閾値以下である場合、それらの戻り信号はパルスとみなされないが、バックグラウンドノイズ又は低速の残りの血流とみなされる。決定されたリズム及びパルスがないことに基づいて、ＣＰＲユニットは、例えば、ＣＰＲを実行することが好ましいかどうかを判定する。戻り信号がまた、血流の有無をより良好に推測するように、スペクトル解析、相関分析等を有する適切な信号処理を用いて解析されることが可能である。
【００２５】
他の実施例として、心臓イメージングのような核医学ゲーティング研究において、超音波アセンブリ１０がデータ取得のゲーティングのために用いられる。そのハンズフリー超音波モニタリングは、医療専門家の放射線に対する不必要な被曝を回避することができる。
【００２６】
上記の装置及び方法は、動物のイメージング、モニタリング、試験及び治療に同様に適用可能である。勿論、そのような装置は、動物の異なるサイズ及び／又は生体組織等について採用されることが可能である。
【００２７】
図１を再び参照し、図４を更に参照するに、超音波アセンブリ１０は、第１ステーション１１２、第２ステーション１１４及びホストセンタ１１６を有する健康管理システム１１０で用いられる。第１ステーション又は介護者センタ１１２は、例えば、医院又は病院のような介護施設に位置付けられ、ターミナル１２０を有する。ターミナル１２０の一例は、ホストセンタ１１６と及びそのホストセンタ１１６を介して第２ステーション１１４とインタラクトする、ユーザーインタフェースソフトウェア等の適切なソフトウェア１２２及びハードウェア１２４を有するパーソナルコンピュータである。ターミナル１２０は、イントラネット又は当業者に知られている他の接続を介して第１サーバ１３０に接続されている。
【００２８】
勿論、健康管理システム１１０は、アプリケーションについて適切である複数の第１ステーション、複数のホストセンタ１１６及び複数の第２ステーションを有することが可能であることを検討することができる。
【００２９】
第１リンク１４０は、第１ステーション１１２とホストセンタ１１６との間の接続を提供する。代替として、第１ステーション１１２は、ローカルエリアネットワーク（ＬＡＮ）又はワイドエリアネットワーク（ＷＡＮ）の無線ステーションである。
【００３０】
第２ステーション又は患者ステーション１１４は、患者の家又は居住施設に位置付けられているテレビジョンセット１５０又は他の患者用ディスプレイ装置を有するユーザインタフェース又は患者インタフェース１４８を有する。ユーザインタフェース１４８は、テレビジョンセット１５０の映像表示とインタラクトする、制御モジュール、プロセッサ、セットトップボックスのようなアルゴリズム手段又は他の手段１５２を更に有する。制御モジュール１５２は、例えば、標準的なアナログテレビジョンセット１５０における表示のために、アナログケーブル、ディジタルケーブル、衛星、ディジタル加入者線（ＤＳＬ）又はディジタル放送テレビジョンを標準的なチャネル周波数に変換する。他の実施形態においては、モジュール１５２は、信号をテレビジョンチャネル周波数に符号化する必要なく、ＲＣＡ（Ｒａｄｉｏ  Ｃｏｒｐｏｒａｔｉｏｎ  ｏｆ  Ａｍｅｒｉｃａ）社又はＳＣＡＲＴ（Ｓｙｎｄｉｃａｔ  ｄｅｓ  Ｃｏｎｓｔｒｕｃｔｅｕｒｓ  ｄ‘Ａｐｐａｒｅｉｌｓ  Ｒａｄｉｏｒｅｃｅｐｔｅｕｒｓ  ｅｔ  Ｔｅｌｅｖｉｓｅｕｒｓ）社のコネクタ又はインタフェースを介してテレビジョンセット１５０において直接、データを変換して表示することができる。一実施形態においては、制御モジュール１５２は、ＤＴＶモニタへの表示のためにケーブル又は衛星プロバイダ若しくはローカル放送ＴＶからオン又はオフ放送ディジタル信号又は従来のアナログテレビジョン信号を更に受信する。制御モジュール１５２はまた、第２リンク１５６を介してホストセンタ１１６から、ディジタル又はアナログテレビジョンフォーマット信号若しくは患者情報信号のような信号を受信する。第２リンク１５６の例は、有線接続、無線接続、衛星接続、光ファイバ接続等である。
【００３１】
制御モジュール１５２は、当該技術分野で知られているオーディオ／ビデオ（ＡＶ）切り換え装置のような切り換え装置、アルゴリズム又は手段１６０を介してビデオディスプレイ１５４に接続されている。切り換え装置１６０は、ディスプレイ１５４（又はＶＣＲ、ＤＶＤ等）のチューナからのテレビジョン受信と、ホストセンタ１１６からの／への患者情報受信／送信との間の切り換えを提供する。代替として、ビデオディスプレイ１５４へのインタフェースを提供するように適合された何れかの他の既知の種類の入力装置が用いられる。
【００３２】
例えば、患者情報信号は、情報、作用等についてのビデオディスプレイにおいて表示される情報、指令及び質問を含む。患者情報信号は、ビデオ及びオーディオ健康問題プログラム、オーディオプログラム、ビデオメッセージ及びオーディオメッセージ、健康又はバイオメトリック情報を送信するための催促状等を有する。ユーザインタフェース１４８は、赤外線トランシーバ１６８に信号を供給するリモートインタフェース装置１６６を更に有する。トランシーバ１６８からの信号は、制御モジュール１５２に供給され、ビデオディスプレイ１５４へのビデオ入力、入力患者情報等を選択するように機能する。一実施形態においては、リモートインタフェース装置１６６は、家庭用娯楽システムで用いられるリモート制御装置のようなリモート制御装置である。他の実施形態においては、リモートインタフェース装置１６６は、キーボード又はマウス等のコンピュータ入力インタフェース装置である。
【００３３】
ホストセンタ１１６は、集中化され、特定の機能につての種々のサーバを有する。ホストセンタ１１６のサーバの例は、ディスプレイ１５４に患者ビデオコンテンツを供給するビデオサーバ１７２、患者のバイオメトリック測定を収集及び転送する測定サーバ１７４である。ホストセンタ１１６は、第１ステーション１１２と第２ステーション１１４との間の接続を可能にするように、適切なハードウェア１７８、ソフトウェア１８０及び通信リンク１８２を含むホストセンタターミナル１７６を有する。
【００３４】
ホストセンタ１１６は、異なる構成要素又は異なる機能を収容したサブセンタに分配されることがまた、検討される。代替として、複数の第２ステーション１１４を１つ又はそれ以上の第１ステーション１１２と接続する複数のホストセンタ１１６を有することが可能である。
【００３５】
一実施形態においては、第２ステーション１１４は、患者１４に関連する医療装置１２の集合を有する。例えば、超音波アセンブリ１０に加えて、医療装置１２は、体重計、血圧装置、心電計、脳電計、オキシメータ、脳波測定装置、呼吸モニタ、温度計等を有することが可能である。一実施形態においては、バイオメトリック装置１２は、患者１４が装着して、ホストセンタに連続して又は間隔を置いてバイオメトリック読み取りを通信する、又は患者１４が１日に１回又はそれ以上、読み取り等を行うように用いるケーブル装置である。更に又は代替として、特定の測定結果が、リモート装置１６６を介して患者により手動で入力されることが可能である。代替として、バイオメトリック装置１２は、ペースメーカー、輸液ポンプ等におけるセンサのように、患者の体内に埋め込まれることが可能である。収集されたモニタリング又は手動患者データは、処理及び使用のために測定サーバ１７４にそのデータを送信する測定ゲートウェイ１８４に供給される。
【００３６】
他の例示としてのユーザインタフェース装置は、パーソナルコンピュータ（ＰＣ）、携帯情報端末（ＰＤＡ）、携帯電話、可搬型コンピュータ、自動音声応答システム等である。従って、ディスプレイは、コンピュータモニタ、携帯電話等の可搬型通信装置ディスプレイ、セルラフォン又はＰＤＡである。
【００３７】
次の事柄、即ち、他のイメージングモダリティ又は治療療法による放射線の存在下での緊急場所から病院への救急車の中でのモニタリング、病院のベッドにおける非介入の心臓血管モニタリング、手術中のハンズフリー血流モニタリングが、ＣＰＲが実行される必要があるかどうかを判定するようにＰＥＡの有無の振動検出の後、除細動器においてまた、適用可能である。
【００３８】
上では、本発明について、好適な実施形態を参照して詳述している。上記の詳細説明を読んで理解するとき、当業者は修正及び変形を想起することが可能である。本発明は、同時提出の特許請求の範囲における範囲内に入る又はそれと同程度の修正及び変形の全てを網羅することが意図されている。
【００３９】
いくつかの態様を記載しておく。
〔態様１〕
音響モジュール；
音響結合層を有する取り付けアセンブリであって、前記音響結合層は皮膚に前記音響モジュールを貼り付け、音響結合するためのものである、取り付けアセンブリ；
を有する皮膚に装着される装置。
〔態様２〕
態様１に記載の装置であって、前記音響モジュールは超音波トランスジューサを有する、装置。
〔態様３〕
態様１に記載の装置であって、前記結合層により前記皮膚に貼り付け、音響結合されている複数のモジュレータを更に有する、装置。
〔態様４〕
態様３に記載の装置であって：
前記皮膚の凹凸に倣う倣い性を可能にするように前記モジュールを囲むように広がったフレキシブルなカバリング層；
を更に有する、装置。
〔態様５〕
態様１に記載の装置であって、先記取り付けアセンブリは：
前記結合層において周囲に広がった接着パッド；
を更に有する、装置。
〔態様６〕
態様５に記載の装置であって：
前記結合層から前記モジュールの反対側をカバーするカバリング層であって、前記接着パッドの内側部分は前記カバリング層と前記結合層との間に挟まれている、カバリング層；
を更に有する、装置。
〔態様７〕
態様１に記載の装置であって、前記結合層は：
エアポケットの存在しない前記皮膚及び皮膚における割れ目に倣うように、前記皮膚と流体を接着するように、十分に粘着性を有する誘電性シリコーンゲル；
を更に有する、装置。
〔態様８〕
態様１に記載の装置であって、前記音響モジュールは、Ｂモード、カラードップラー、ＣＷドップラー及びＭモード超音波センサのうちの１つを有する、装置。
〔態様９〕
態様１に記載の装置であって、前記音響モジュールは無線トランスジューサを有する、装置。
〔態様１０〕
態様１に記載の装置であって、前記音響モジュールは：
互いに固定された関係に前記音響トランスジューサ及び受信要素を保つ音響送信要素、音響受信要素及びフォーマ；
を有する、装置。
〔態様１１〕
態様１０に記載の装置であって：
一方側の前記結合層と他方側のフレキシブルカバリング層との間をフレキシブルに相互接続する複数の前記モジュール；
を更に有する、装置。
〔態様１２〕
態様１１に記載の装置であって、前記フレキシブルカバリング層と前記結合層の少なくとも１つはＳｔｙｇａｒｄ（登録商標）誘電体ゲルである、装置。
〔態様１３〕
態様１１に記載の装置であって、前記フレキシブルカバリング層はＳｔｙｇａｒｄ（登録商標）誘電体ゲルを有し、前記結合層はＴ２（登録商標）シリコーンを有する、装置。
〔態様１４〕
態様１１に記載の装置であって、前記取り付けアセンブリは：
前記フレキシブルカバリング層及び前記結合層が一体化されているパッド；
を有する、装置。
〔態様１５〕
態様１１に記載の装置であって、前記結合層は十分に小さい音速を有し、前記装置は実質的に平坦である、装置。
〔態様１６〕
態様１に記載の装置であって、前記モジュールは：
前記皮膚の下で動いている物質において方向付けられる超音波送信を生成する送信器；及び
前記動きを表す、反射された超音波送信を感知する受信器；
を各々有する複数の圧電モジュールのアレイを有する、装置。
〔態様１７〕
態様１に記載の装置であって、前記モジュールは：
前記皮膚の下で動いている物質において方向付けられる超音波送信を生成し、前記動きを表す、反射された超音波送信を感知するする送信器；
を各々有する複数の圧電モジュールのアレイを有する、装置。
〔態様１８〕
心臓除細動ユニットと組み合わされた態様１に記載の装置。
〔態様１９〕
態様１に記載の装置であって、前記結合層は、滑りを防止するように十分に硬く、前記結合層が貼られるときに前記皮膚における割れ目を満たすように十分に流動的である、医療処置の間に更なる人間の介入なしに、前記皮膚にモジュールを接着し、前記モジュールを適所に保つように十分に粘着性を有する、装置。
〔態様２０〕
態様１に記載の装置がデータ取得をゲーティングするように用いられる核イメージャ。
〔態様２１〕
音響結合層により患者の皮膚と音響モジュールを貼り付けて、音響結合する段階；及び
前記患者の生理学的パラメータをモニタするように、前記音響モジュールにより音響信号を送受信する段階；
を有する音響モニタリング方法。
〔態様２２〕
態様２１に記載の音響モニタリング方法であって、前記生理学的パラメータは血流を有する、音響モニタリング方法。
〔態様２３〕
態様２１に記載の音響モニタリング方法であって、音響モジュールのアレイは、前記音響結合層とフレキシブルカバリング層との間に挟まれ、前記生理学的パラメータは血流を有する、音響モニタリング方法。
〔態様２４〕
態様２１に記載の音響モニタリング方法であって、前記音響結合層は、滑りを防止するように十分に硬く、前記結合層が貼られるときに前記皮膚における割れ目を満たすように十分に流動的である、医療処置の間に更なる人間の介入なしに、前記皮膚にモジュールを接着し、前記モジュールを適所に保つように十分に粘着性を有する、音響モニタリング方法。
〔態様２５〕
態様２４に記載の音響モニタリング方法であって、前記音響結合層は接着性シリコーンゲルを有する、音響モニタリング方法。
〔態様２６〕
患者の皮膚と音響モジュールを貼り付けて、音響結合する結合手段；及び
前記患者の生理学的パラメータをモニタするように音響信号を送受信する医療手段；
を有する装置。
〔態様２７〕
患者の生理学的パラメータを感知する音響モジュール；
音響結合層を有する取り付けアセンブリであって、前記患者の皮膚に前記音響モジュールを貼り付けて、音響的に結合する、取り付けアセンブリ；及び
感知された患者データを収集し、モニタリングステーションに前記感知された患者データを転送するサーバ；
を有するモニタリングシステム。
【図１】
2014054580.tif 000003
【図２】
2014054580.tif 000004
【図３】
2014054580.tif 000005
【図４】
2014054580.tif 000006